(57)【要約】  光学選別部のシュート上を滑流する原料の流量調整を容易に行い、かつ、籾摺機から最大処理能力以上の原料が供給された場合は、投入ホッパへの投入量を自動的に制限して、搬送系モータの損傷や焼損を防止することができる色彩選別機を提供する。  原料を受け入れるための投入ホッパ（６）は、左右一対の側壁と、昇降部筐体（７）側の前壁（６ｂ）と、該前壁（６ｂ）と対向する後壁（６ｃ）と、前記前壁（６ｂ）下部から傾斜して延設される傾斜棚板（６ｄ）と、該傾斜棚板（６ｄ）よりも下方に位置し、かつ、前記後壁（６ｃ）下部から前記昇降部筐体（７）の供給口（７ａ）に向けて傾斜して延設される傾斜棚板（６ｅ）とにより形成した。また、傾斜棚板（６ｂ）下部には、原料の受け入れ量を調節する流量調節バルブ（１２）を設け、一時貯留タンク（２１）と流量調節バルブ（１２）とを、一時貯留タンク（２１）が下動したときに原料の受け入れ量を制限するよう連結した。
2013175870.tif 000002
【特許請求の範囲】
【請求項１】
原料を受け入れるための投入ホッパ（６）を昇降部筐体（７）の背面下部に備えた昇降部（２）と、  前記昇降部筐体（７）の前面側中間部に配置して、前記昇降部（２）により上昇させられた原料を流下させて光学的な選別を行う光学選別部（３）と、  該光学選別部（３）の下方に配置して、光学的な選別の結果により、良品と、不良品又は異物とにそれぞれに分別して機外排出を行う機外排出部（４）と、  前記昇降部（２）の前面側上部と前記光学選別部（３）との間に設けられ、前記昇降部（２）により上昇させられた原料を一時貯留する貯留タンク部（５）と、を備えて構成される色彩選別機において、  前記原料を受け入れるための投入ホッパ（６）は、左右一対の側壁（６ｆ），（６ｇ）と、前記昇降部筐体（７）側の前壁（６ｂ）と、該前壁（６ｂ）と対向する後壁（６ｃ）と、前記前壁（６ｂ）下部から傾斜して延設される短尺状の傾斜棚板（６ｄ）と、該傾斜棚板（６ｄ）よりも下方に位置し、かつ、前記後壁（６ｃ）下部から前記昇降部筐体（７）の供給口（７ａ）に向けて傾斜して延設される長尺状の傾斜棚板（６ｅ）とにより形成する一方、  前記長尺状の傾斜棚板（６ｅ）下部には、原料の受け入れ量を調節する流量調節バルブ（１２）を設けるとともに、前記貯留タンク部（５）には、貯留量に応じて上下動する一時貯留タンク（２１）を設け、  さらに、前記一時貯留タンク（２１）と前記流量調節バルブ（１２）とを、前記一時貯留タンク（２１）が下動したときに原料の受け入れ量を制限するように連結したことを特徴とする色彩選別機。
【請求項２】
前記一時貯留タンク（２１）は、前記昇降部筐体（７）上部との間で、上部リンク（２２）及び下部リンク（２３）からなるリンク機構によって取り付けるとともに、前記昇降部筐体（７）上部の前面側に流下樋（２５）を突設し、該流下樋（２５）下方で前記一時貯留タンク（２１）が上下動するよう、前記流下樋（２５）と一時貯留タンク（２１）との間を吊バネ（２４）によって保持してなる請求項１記載の色彩選別機。
【請求項３】
前記流量調節バルブ（１２）は、回動軸（１３）を中心とするアーム（１４）によって前記投入ホッパ（６）に係止するとともに、常時はバネ（１５）の引っ張り力により前記流量調節バルブ（１２）が傾斜棚板（６ｂ）に接近するよう回動させる一方、前記一時貯留タンク（２１）が下動したときに前記流量調節バルブ（１２）が原料の受け入れ量を制限するよう、該流量調節バルブ（１２）と前記一時貯留タンク（２１）との間を、第１ロッド（１７）、第２ロッド（１９）及び中継アーム部（１８）により連結してなる請求項１又は２記載の色彩選別機。
【請求項４】
前記一時貯留タンク（２１）の流出口（２１ａ）には、その開口度を調節することができる開閉シャッター（２７）を設けるとともに、前記光学選別部（３）の側面には、前記開閉シャッター（２７）を操作者が手動で開閉できるように開閉レバー（２８）を設け、該開閉レバー（２８）と前記開閉シャッター（２７）との間をワイヤー（２９）によって連動できるように構成してなる請求項１から３のいずれかに記載の色彩選別機。
【発明の詳細な説明】
【技術分野】
【０００１】  本発明は、米、麦などの穀粒や樹脂ペレットなどの粒状物を良品と不良品とに選別したり、粒状物中に混入する異物を除去したりする色彩選別機に関する。
【背景技術】
【０００２】  本出願人は、農家における籾摺ラインに適した性能と低価格を実現することをコンセプトとした小型の色彩選別機を開発し、複数の特許出願を行っている。  このうち、特許文献１に記載の色彩選別機によれば、原料を上昇させる昇降機を複数備える昇降部と、少なくとも１台の前記昇降機により上昇させられる原料を選別する光学選別部と、を備えてなる色彩選別機において、当該色彩選別機の高所には機外に良品を排出する排出部が設けられ、前記昇降機の１台は、光学選別部で良品と判定された原料を当該排出部に向けて上昇させることを特徴とする色彩選別機としたものである。  これにより、光学選別部で良品と判定された原料を昇降機の１台により上昇させて、当該色彩選別機の高所に設けられる排出部から排出するものであるので、当該排出部から後工程における計量機や袋詰機に直接原料を供給することが可能となり、籾摺ラインの各装置の配置を簡単に行うことができるという作用・効果がある。  また、特許文献１の請求項２に記載の色彩選別機によれば、前記昇降部は、光学選別部の背後であって当該色彩選別機の幅方向に複数の昇降機を隣接配置してなることを特徴としたものである。  これにより、昇降部をコンパクトなものとすることができ、しかも、当該昇降部が光学選別部の背後であって幅方向に沿って配置されるため、装置の幅を広げることなく、装置の設置スペースを小さく抑えることができるという作用・効果がある。  さらに、特許文献１の請求項３に記載の色彩選別機によれば、前記昇降部のさらに背後であって色彩選別機の低所には、当該色彩選別機に原料を投入する投入ホッパを設けたことを特徴とするものである。  これにより、前工程における籾摺機から原料を楽に搬送することが可能となり、装置の配置を簡単に行うことができ、また、装置の幅を広げることがないという作用・効果がある。  そして、特許文献１の請求項４に記載の色彩選別機によれば、光学選別部により選別される原料を所定の昇降機に搬送する横送りコンベアを備えたことを特徴とするものである。  これにより、横送りコンベアを配置するための新たなスペースを必要としないという作用・効果がある。【０００３】  しかしながら、上記特許文献１に記載の色彩選別機にあっては、前工程における籾摺機から原料が直接投入ホッパに投入されるものであるから、例えば、籾摺機から不良品混入率が高い原料が投入されると、光学選別部のシュート上を滑流する原料の流量を下げて選別精度を向上させる操作が必要となる。従来は、作業者が目視でシュート上を滑流する原料の多寡を判断し、流量調節を行っていた。また、前工程の籾摺機から当該色彩選別機の最大処理能力以上の原料が供給された場合、昇降機が詰まって過負荷が生じ、昇降機用モータなどの搬送系モータの損傷や焼損に繋がる虞（おそれ）があった。
【先行技術文献】
【特許文献】
【０００４】
【特許文献１】特開２０１１−９２８６１号公報
【発明の概要】
【発明が解決しようとする課題】
【０００５】  本発明は上記問題点にかんがみ、光学選別部のシュート上を滑流する原料の流量調整を容易に行い、かつ、前工程の籾摺機から最大処理能力以上の原料が供給された場合は、投入ホッパへの投入量を自動的に制限して、搬送系モータの損傷や焼損を防止することができる色彩選別機を提供することを技術的課題とする。
【課題を解決するための手段】
【０００６】  上記の課題を解決するため本発明は、原料を受け入れるための投入ホッパ（６）を昇降部筐体（７）の背面下部に備えた昇降部（２）と、前記昇降部筐体（７）の前面側中間部に配置して、前記昇降部（２）により上昇させられた原料を流下させて光学的な選別を行う光学選別部（３）と、該光学選別部（３）の下方に配置して、光学的な選別の結果により、良品と、不良品又は異物とにそれぞれに分別して機外排出を行う機外排出部（４）と、前記昇降部（２）の前面側上部と前記光学選別部（３）との間に設けられ、前記昇降部（２）により上昇させられた原料を一時貯留する貯留タンク部（５）と、を備えて構成される色彩選別機において、前記原料を受け入れるための投入ホッパ（６）は、左右一対の側壁（６ｆ），（６ｇ）と、前記昇降部筐体（７）側の前壁（６ｂ）と、該前壁（６ｂ）と対向する後壁（６ｃ）と、前記前壁（６ｂ）下部から傾斜して延設される短尺状の傾斜棚板（６ｄ）と、該傾斜棚板（６ｄ）よりも下方に位置し、かつ、前記後壁（６ｃ）下部から前記昇降部筐体（７）の供給口（７ａ）に向けて傾斜して延設される長尺状の傾斜棚板（６ｅ）とにより形成する一方、前記長尺状の傾斜棚板（６ｅ）下部には、原料の受け入れ量を調節する流量調節バルブ（１２）を設けるとともに、前記貯留タンク部（５）には、貯留量に応じて上下動する一時貯留タンク（２１）を設け、さらに、前記一時貯留タンク（２１）と前記流量調節バルブ（１２）とを、前記一時貯留タンク（２１）が下動したときに原料の受け入れ量を制限するように連結したことを特徴とする。【０００７】  また、前記一時貯留タンク（２１）は、前記昇降部筐体（７）上部との間で、上部リンク（２２）及び下部リンク（２３）からなるリンク機構によって取り付けるとともに、前記昇降部筐体（７）上部の前面側に流下樋（２５）を突設し、該流下樋（２５）下方で前記一時貯留タンク（２１）が上下動するよう、前記流下樋（２５）と一時貯留タンク（２１）との間を吊バネ（２４）によって保持した。【０００８】  そして、前記流量調節バルブ（１２）は、回動軸（１３）を中心とするアーム（１４）によって前記投入ホッパ（６）に係止するとともに、常時はバネ（１５）の引っ張り力により前記流量調節バルブ（１２）が傾斜棚板（６ｂ）に接近するよう回動させる一方、前記一時貯留タンク（２１）が下動したときに前記流量調節バルブ（１２）により原料の受け入れ量を制限するよう、該流量調節バルブ（１２）と前記一時貯留タンク（２１）との間を、第１ロッド（１７）、第２ロッド（１９）及び中継アーム部（１８）により連結した。【０００９】  また、前記一時貯留タンク（２１）の流出口（２１ａ）には、その開口度を調節することができる開閉シャッター（２７）を設けるとともに、前記光学選別部（３）の側面には、前記開閉シャッター（２７）を操作者が手動で開閉できるように開閉レバー（２８）を設け、該開閉レバー（２８）と前記開閉シャッター（２７）との間をワイヤー（２９）によって連動できるように構成した。
【発明の効果】
【００１０】  請求項１記載の発明によれば、原料を受け入れるための投入ホッパ（６）が、左右一対の側壁（６ｆ），（６ｇ）と、前記昇降部筐体（７）側の前壁（６ｂ）と、該前壁（６ｂ）と対向する後壁（６ｃ）と、前記前壁（６ｂ）下部から傾斜して延設される短尺状の傾斜棚板（６ｄ）と、該傾斜棚板（６ｄ）よりも下方に位置し、かつ、前記後壁（６ｃ）下部から前記昇降部筐体（７）の供給口（７ａ）に向けて傾斜して延設される長尺状の傾斜棚板（６ｅ）とにより形成してある。これにより、複数の傾斜棚板（６ｄ），（６ｅ）によって、原料を受け入れたときの落下衝撃力が緩和されるとともに、傾斜棚板（６ｅ）が傾斜棚板（６ｄ）よりも長く形成されてあり、傾斜面が左右非対称となっているから、粒同士がアーチ構造を形成するおそれが低く、原料を供給口（７ａ）に向けて速やかに供給することができる。そして、前工程の籾摺機から色彩選別機の最大処理能力以上の原料が供給された場合には、一時貯留タンク（２１）に原料が充満してきて重くなり、自重により一時貯留タンク（２１）が下動するに伴い、流量調節バルブ（１２）が閉調節されるために、投入ホッパ（６）への投入量が自動的に制限され、昇降部が詰まることによる搬送系モータの損傷や焼損を防止することが可能となる。【００１１】  また、請求項２記載の発明によれば、一時貯留タンク（２１）が、昇降部筐体（７）上部との間で、上部リンク（２２）及び下部リンク（２３）からなるリンク機構によって取り付けるとともに、前記昇降部筐体（７）上部の前面側には流下樋（２５）を突設し、該流下樋（２５）下方で前記一時貯留タンク（２１）が上下動するよう、前記流下樋（２５）と一時貯留タンク（２１）との間を吊バネ（２４）によって保持したので、一時貯留タンク（２１）の上下動機構を簡単に構成することができる。【００１２】  そして、請求項３記載の発明によれば、流量調節バルブ（１２）が、回動軸（１３）を中心とするアーム（１４）によって投入ホッパ（６）に係止されるとともに、常時はバネ（１５）の引っ張り力により流量調節バルブ（１２）が傾斜棚板（６ｂ）に接近するよう回動させる一方、一時貯留タンク（２１）が下動したときに流量調節バルブ（１２）により原料の受け入れ量を制限するよう、流量調節バルブ（１２）と一時貯留タンク（２１）との間を、第１ロッド（１７）、第２ロッド（１９）及び中継アーム部（１８）により関連的に連結したので、一時貯留タンク（２１）の下動に伴う流量調節バルブ（１２）の閉鎖調節の即応性が格段に向上する。これにより、搬送系モータの損傷や焼損をいち早く防止することが可能となる。【００１３】  さらに、請求項４記載の発明によれば、一時貯留タンク（２１）の流出口（２１ａ）に、その開口度を調節することができる開閉シャッター（２７）を設けるとともに、光学選別部（３）の側面には、開閉シャッター（２７）を操作者が手動で開閉できるように開閉レバー（２８）を設け、該開閉レバー（２８）と前記開閉シャッター（２７）との間をワイヤー（２９）によって連動できるように構成してある。これにより、原料中に不良品の混入率が高い場合は、操作者は開閉レバー（２５）を操作して光学選別部（３）のシュ���ト上を流れる被選別物を確認しながらシュート上を流れる原料の流量の変更が可能となる。これは、例えば、シュートへの原料供給に振動フィーダなどの搬送機器を用いた場合と比較して極めて即応性がよく、適正流量となるまで待機する時間を削減することが可能となり、ひいては選別効率が格段に向上するものとなる。
【図面の簡単な説明】
【００１４】
【図１】本発明の色彩選別機の全体を示す斜視図である。
【図２】同上の色彩選別機の右側面図である。
【図３】同上の色彩選別機を一部切り欠いて内部の構造を説明するための一部破断面図である。
【図４】同上の色彩選別機の昇降部下部の拡大図である。
【図５】同上の色彩選別機の昇降部上部の拡大図である。
【発明を実施するための形態】
【００１５】  本発明を実施するための形態を図面を参照しながら説明する。図１は本発明の色彩選別機の全体を示す斜視図であり、図２は同上の色彩選別機の右側面図であり、図３は同上の色彩選別機の一部破断面図であり、図４は昇降部下部の拡大図であり、図５は昇降部上部の拡大図である。
【００１６】  本発明の色彩選別機１は、穀粒、樹脂ペレット、コーヒー豆、その他の粒状物を原料として良品と不良品、あるいは原料に混入する異物を色彩により選別することができるものである。
【００１７】  図１乃至図３に示すように、本発明の色彩選別機１は、昇降部筐体７の背面側下部に原料を受け入れるための投入ホッパ６を備えた昇降部２と、該昇降部２の前面側中間部に位置させて原料を流下させる際に光学的な選別を行う光学選別部３と、該光学選別部３の下方に設けて良品と不良品又は異物とに分別して機外排出を行う機外排出部４と、前記昇降部２の前面側上部と前記光学選別部３との間に設けられ、前記昇降部２により上昇させた原料を一時貯留する貯留タンク部５と、を備えて構成される。
【００１８】  前記昇降部２は、昇降部筐体７内の上下位置に駆動プーリ８と従動プーリ９とをそれぞれ設け、前記駆動プーリ８と前記従動プーリ９との間には、多数のバケット１０を取り付けられた無端状ベルト１１を回動可能に掛け回すことによって構成されている（図２及び図３参照）。そして、前記無端状ベルト１１が前記プーリ８，９間を回動することで、前記投入ホッパ６から受け入れた原料が上昇搬送され、多数のバケット１０が従動プーリ９により転回される瞬間に、前記貯留タンク部５に投擲（てき）されることで原料の搬送が行われる。
【００１９】  前記昇降部２の背面側下部には投入ホッパ６が設けられる。該投入ホッパ６は左右一対の側壁６ｆ，６ｇと、前記昇降部筐体７側の前壁６ｂと、該前壁６ｂと対向する後壁６ｃと、前記前壁６ｂ下部から傾斜して延設される短尺状の傾斜棚板６ｄと、該傾斜棚板６ｄよりも下方に位置し、かつ、前記後壁６ｃ下部から前記昇降部筐体７の供給口７ａに向けて傾斜して延設される長尺状の傾斜棚板６ｅとにより形成してある。
【００２０】  そして、投入ホッパ６の傾斜棚板６ｅ下部には、前記貯留タンク部５と連係して原料の受け入れ量を調節する流量調節バルブ１２が設けられる（図２、図３及び図４参照）。該流量調節バルブ１２は、回動軸１３により軸着されており、該回動軸１３はアーム１４を固定し、該アーム１４にはバネ１５の一端を固定する一方、バネ１５の他端は昇降部筐体７に設置した固定部１６に固定し、常時はバネ１５の引っ張り力により流量調節バルブ１２が傾斜棚板６ｅに接近するように回動させておく。その一方で、アーム１４の回動軸１３と対向する位置には、第１ロッド１７の一端側１７ａを固定するとともに、該第１ロッド１７の他端側１７ｂは中継アーム部１８の一端側を固定する。そして、該中継アーム部１８の第１ロッド他端側１７ｂと対向する位置には、第２ロッド１９の一端側１９ａを固定するとともに、該第２ロッド１９の他端側１９ｂは前記貯留タンク部５のタンク中間金具２０に接続する。
【００２１】  ところで、前記貯留タンク部５を形成する一時貯留タンク２１は、昇降部２の昇降部筐体７上部との間で、上部リンク２２及び下部リンク２３からなるリンク機構によって自由度を有する構造で取り付けられている（図３、図５参照）。そして、前記昇降部筐体７上部の前面側には流下樋２５が突設され、該流下樋２５の下方で前記一時貯留タンク２１を保持するよう、前記上部リンク部２２には吊バネ２４の一端側を固定するとともに、吊バネ２４の他端側は流下樋２５に設置した固定部２６に固定し、一時貯留タンク２１を吊設する構成としてある。
【００２２】  これにより、前記一時貯留タンク２１の貯留量の多寡によって第２ロッド１９が上下動し、流量調節バルブ１２は実線の位置と一点鎖線の位置とに回動可能になる。すなわち、一時貯留タンク２１の貯留量が少なければ、第２ロッド１９の下動は少なく、流量調節バルブ１２は実線の位置となって供給口７ａが大きく開口された状態となり、大流量の原料がケース底部７ｂに供給される。一方で、一時貯留タンク２１の貯留量が多ければ自重により第２ロッド１９の下動が大きくなり、流量調節バルブ１２は一点鎖線の位置となって供給口７ａの開口度が制限された状態となり、流量の制限された原料がケース底部７ｂに供給されることになる。
【００２３】  前記一時貯留タンク２１の流出口２１ａには、その開口度を調節することができる開閉シャッター２７を設けるとともに、該開閉シャッター２７を手動で開閉できるよう、前記光学選別部３の側面に開閉レバー２８を設け、該開閉レバー２８と前記開閉シャッター２７との間をワイヤー２９によって連動できるように構成されている（図２参照）。また、ワイヤー２９の連動によらず、操作者が直接開閉シャッター２７を開閉できる構成としてもよい。これにより、原料中に不良品の混入率が高い場合に、操作者は開閉レバー２５や開閉シャッター２７を操作して光学選別部３のシュート上を流れる被選別物を確認しながらシュート上を流れる原料の流量の変更が可能となる。
【００２４】  次に、前記光学選別部３の構成について詳述する。光学選別部３は、水平位置から約６０度の角度で傾斜して配置したシュート３０と、前記一時貯留タンク２１からの原料をシュート３０に搬送するための棚板３１と、シュート３０下端から落下する原料の落下軌跡の上下を挟んで設けられる光学検出部３２と、さらに下方に設けたエジェクターノズル３３と、を備えたものである。
【００２５】  前記シュート３０の表面形状は、原料となる粒状物を広幅で帯状に滑走させるために溝部のない平板形状で形成するのが好ましい。そして、シュート３０からの粒状物の溢流を防止するため、かつ、選別対象の粒状物がシュート３０を滑走中に底面から浮き上がるのを防止するために、底面から所定間隔をあけてシュートカバー３０ａを設けてもよい（図３参照）。
【００２６】  また、前記光学選別部３下方の機外排出部４は、前記エジェクターノズル３３下方において前記シュート３０と同傾斜線上にあり、エジェクターノズル３３からの噴風を受けずにそのまま落下軌跡の粒状物を受ける良品回収ホッパ３４と、該良品回収ホッパ３４に並設され、エジェクターノズル３３からの噴風を受けて正常な原料から不良品を回収するための不良品回収ホッパ３５と、を備えている。さらに、前記良品回収ホッパ３４には良品排出樋３６が、前記不良品回収ホッパ３５には不良品排出樋３７がそれぞれ接続されている。
【００２７】  前記光学検出部３２は、ＣＣＤラインセンサー等からなるセンサー３８，３９と、蛍光灯等からなる光源４０，４１，４２，４３と、背景手段としてのバックグラウンド４４，４５と、ミラー４６，４７を備えたものである。そして、各センサー３８，３９は、前記シュート３０下端から落下する原料を検出位置において撮像し、該撮像信号に基づいて原料の良品と不良品、あるいは原料に混入する異物を判断するものである。エジェクターノズル３３は、不良品及び異物と判断したものを噴風して原料の流れから弾き出し、不良品回収ホッパ３５側へ除去する。なお、エジェクターノズル３３はエアにより原料を弾くものに代えて、ソレノイド等を駆動手段とする板バネ等を用いてもよい。
【００２８】  以下、本発明の実施の形態における作用を説明する。  原料を投入ホッパ６の開口部６ａから投入すると、傾斜棚板６ｄ，６ｅによって衝撃が緩和されながら流下して、傾斜棚板６ｅ下部に至る。投入ホッパ６の傾斜棚板６ｅ下部には、前記貯留タンク部５と連係して原料の受け入れ量を調節する流量調節バルブ１２が設けられている。このとき、一時貯留タンク２１は未だ空の状態であるため、流量調節バルブ１２は図４の実線の位置にあって供給口７ａが全開された状態にある。このため、比較的大流量の原料がケース底部７ｂに供給されることになる。ケース底部７ｂに供給された原料は、バケット１０により昇降部筐体７内を上昇し、従動プーリ９で転回される瞬間に投擲（てき）されて流下樋２５から一時貯留タンク２１に貯留される。このとき、一時貯留タンク２１の流出口２１ａが開閉シャッター２７により閉鎖された状態にあると、一時貯留タンク２１は原料が充満してきて重くなり、吊バネ２４に抗して下動する。これに伴い、タンク中間金具２０に接続した第２ロッド１９も下動する。これにより、第２ロッドに連係した中継アーム部１８が回動し（図４参照）、さらに、第１ロッド１７が図面右下方向に下動することになる。これにより、アーム１４が回転軸１４を中心に回動して流量調節バルブ１２が図４の一点鎖線の位置となって供給口７ａの開口度が制限された状態となり、流量の制限された原料がケース底部７ｂに供給される。そして、一時貯留タンク２１が満量になれば、流量調節バルブ１２によって供給口７ａが閉鎖されることになる。
【００２９】  そして、一時貯留タンク２１の貯留量が満量となった段階で、操作者が開閉レバー２５を操作して流出口２１ａを開口すると、原料はその開口度に応じた流量で棚板３１に落下し、次いで、シュート３０上に供給されることになる。一方、一時貯留タンク２１はその貯留量の減少に伴って重量が軽くなるため、第２ロッド１９が上動することとなる。これにより、流量調節バルブ１２が閉鎖状態から開放されて投入ホッパ６から新たな原料が供給されるようになる。
【００３０】  シュート３０上を流下する原料は、その下端から落下して光学選別部３のセンサー３８，３９により検出されることになる。そして、センサー３８，３９の撮像信号に基づいて原料の良品と不良品、あるいは原料に混入する異物が判断される。不良品及び異物と判断されたものはエジェクターノズル３３の噴風によって原料の流れから弾き出され、不良品回収ホッパ３５を介して不良品排出樋３７から機外に排出される。一方、良品と判断されたものはエジェクターノズル３３の噴風を受けずに良品回収ホッパ３４から良品排出樋３６を経て機外に排出される。
【００３１】  以上説明したように、本発明にあっては、原料を受け入れるための投入ホッパ６が、左右一対の側壁６ｆ，６ｇと、前記昇降部筐体７側の前壁６ｂと、該前壁６ｂと対向する後壁６ｃと、前記前壁６ｂ下部から傾斜して延設される短尺状の傾斜棚板６ｄと、該傾斜棚板６ｄよりも下方に位置し、かつ、前記後壁６ｃ下部から前記昇降部筐体７の供給口７ａに向けて傾斜して延設される長尺状の傾斜棚板６ｅとにより形成してある。これにより、複数の傾斜棚板６ｄ，６ｅによって、原料を受け入れたときの落下衝撃力が緩和されるとともに、傾斜棚板６ｅが傾斜棚板６ｄよりも長く形成され、傾斜面が左右非対称となっているから、粒同士がアーチ構造を形成するおそれが低く、原料を供給口７ａに向けて速やかに供給することができる。そして、前工程の籾摺機から当該色彩選別機の最大処理能力以上の原料が供給された場合には、一時貯留タンク２１に原料が充満してきて重くなり、自重により一時貯留タンク２１が下動に伴い、流量調節バルブ１２が閉調節されるために、投入ホッパ６への投入量が自動的に制限され、昇降部が詰まることによる搬送系モータの損傷や焼損を防止することが可能となる。なお、本発明の色彩選別機は、上記実施の形態に限らず、種々の設計変更が可能である。
【産業上の利用可能性】
【００３２】  本発明は、米、麦などの穀粒や樹脂ペレットなどの粒状物を良品と不良品とに選別したり、粒状物中に混入する異物を除去したりする色彩選別機に適用することができる。
【符号の説明】
【００３３】  １    色彩選別機  ２    昇降部  ３    光学選別部  ４    機外排出部  ５    貯留タンク部  ６    投入ホッパ  ７    昇降部筐体  ８    駆動プーリ  ９    従動プーリ  １０    バケット  １１    無端状ベルト  １２    流量調節バルブ  １３    軸  １４    アーム  １５    バネ  １６    固定部  １７    第１ロッド  １８    中継アーム部  １９    第２ロッド  ２０    タンク中間金具  ２１    一時貯留タンク  ２２    上部リンク  ２３    下部リンク  ２４    吊バネ  ２５    流下樋  ２６    固定部  ２７    開閉シャッター  ２８    開閉レバー  ２９    ワイヤー  ３０    シュート  ３１    棚板  ３２    光学検出部  ３３    エジェクターノズル  ３４    良品回収ホッパ  ３５    不良品回収ホッパ  ３６    良品排出樋  ３７    不良品排出樋  ３８    センサー  ３９    センサー  ４０    光源  ４１    光源  ４２    光源  ４３    光源  ４４    バックグラウンド  ４５    バックグラウンド  ４６    ミラー  ４７    ミラー
【図１】
2013175870.tif 000003
【図２】
2013175870.tif 000004
【図３】
2013175870.tif 000005
【図４】
2013175870.tif 000006
【図５】
2013175870.tif 000007
【国際調査報告】
2013175870.tif 000008
2013175870.tif 000009
2013175870.tif 000010